(57)【要約】【課題】  従来の外部入力機器への切り替えと、デジタル放送受信機から制御可能なデジタル機器への切り替えを統合し、直感的で容易な切り替え操作及び制御操作を提供する。【解決手段】  デジタル放送受信機１０は、リモコン３２から動作制御可能な１以上のデジタル機器を接続する１以上の第１接続端子２５ａ〜２５ｎと、リモコン３２から動作制御不可能な１以上の外部機器を接続する１以上の第２接続端子２７〜２９と、リモコン３２からの切換指示に応じて、前記１以上の第１接続端子に接続されたデジタル機器と、前記１以上の第２接続端子に接続された外部機器と、放送受信部１３のうち１つを順番に選択する選択手段を具備する。前記選択手段により、前記第１接続端子に接続されたデジタル機器が選択された場合、該デジタル機器に格納された複数の映像コンテンツのうち１つが選択され、選択されたコンテンツの再生が制御される。【選択図】    図２
2008016877.tif 000002
【特許請求の範囲】
【請求項１】
通信プロトコルに基づいて情報通信可能なデジタル機器を含む複数の外部機器を接続可能なデジタル放送受信機であって、
デジタル放送を受信する受信部と、
前記デジタル放送受信機にユーザからの指示を入力するための操作部と、
前記操作部から動作制御可能な１以上の前記デジタル機器と前記デジタル放送受信機とを接続する１以上の第１接続端子と、
前記操作部から動作制御不可能な１以上の外部機器と前記デジタル放送受信機とを接続する１以上の第２接続端子と、
前記操作部からの切換指示に応じて、前記１以上の第１接続端子に接続されたデジタル機器と、前記１以上の第２接続端子に接続された外部機器と、前記受信部のうち１つを順番に選択する選択手段と、
前記選択手段により、前記第１接続端子に接続された外部機器が選択された場合に、該外部機器に格納された映像コンテンツの再生を制御し、前記第２接続端子に接続された外部機器が選択された場合に、該外部機器から入力される映像信号を再生し、前記受信部が選択された場合に、該受信部から入力される映像信号を再生する再生制御手段と、
を具備することを特徴とするデジタル放送受信機。
【請求項２】
前記操作部から動作制御可能な外部機器が接続される前記第１接続端子の１つに、デイジーチェーン方式のリンクを介して複数のＩＥＥＥ１３９４機器が接続され、前記操作部からの前記切替指示により前記ＩＥＥＥ１３９４機器が選択された場合、該複数のＩＥＥＥ１３９４機器の機器選択リストを提示し、該リストから制御先ＩＥＥＥ１３９４機器が前記操作部からの指示入力により選択されると、前記ＩＥＥＥ１３９４機器の録画リストを提示し、
前記第１接続端子の１つに、単一のＩＥＥＥ１３９４機器が接続され、前記操作部からの前記切替指示によりＩＥＥＥ１３９４機器が選択された場合、前記ＩＥＥＥ１３９４機器の機器選択リストの提示をスキップし、前記ＩＥＥＥ１３９４機器の録画リストを提示することを特徴とする請求項１記載のデジタル方法受信機。
【請求項３】
前記操作部から動作制御可能な外部機器が接続される前記第１接続端子の１つに、ネットワークを介して複数のＬＡＮＨＤＤ機器が接続され、前記操作部からの前記切替指示により前記ＬＡＮＨＤＤ機器が選択された場合、該複数のＬＡＮＨＤＤ機器の機器選択リストを提示し、該リストから制御先ＬＡＮＨＤＤ機器が前記操作部からの指示入力により選択されると、前記ＬＡＮＨＤＤ機器の録画リストを提示し、
前記第１接続端子の１つに、単一のＬＡＮＨＤＤ機器が接続され、前記操作部からの前記切替指示によりＬＡＮＨＤＤ機器が選択された場合、前記ＬＡＮＨＤＤ機器の機器選択リストの提示をスキップし、前記ＬＡＮＨＤＤ機器の録画リストを提示することを特徴とする請求項１記載のデジタル方法受信機。
【請求項４】
前記操作部から動作制御可能な外部機器が接続される前記第１接続端子の１つに、ネットワークを介して複数のＤＬＮＡ機器が接続され、前記操作部からの前記切替指示により前記ＤＬＮＡ機器が選択された場合、該複数のＤＬＮＡ機器の機器選択リストを提示し、該リストから制御先ＤＬＮＡ機器が前記操作部からの指示入力により選択されると、前記ＤＬＮＡ機器の録画リストを提示し、
前記第１接続端子の１つに、単一のＤＬＮＡ機器が接続され、前記操作部からの前記切替指示によりＤＬＮＡ機器が選択された場合、前記ＤＬＮＡ機器の機器選択リストの提示をスキップし、前記ＤＬＮＡ機器の録画リストを提示することを特徴とする請求項１記載のデジタル方法受信機。
【請求項５】
通信プロトコルに基づいて情報通信可能なデジタル機器を含む複数の外部機器を接続可能なデジタル放送受信機であって、
デジタル放送を受信する受信部と、
前記デジタル放送受信機にユーザからの指示を入力するための操作部と、
前記操作部から動作制御可能な１以上の前記デジタル機器と前記デジタル放送受信機とを接続する１以上の第１接続端子と、
前記操作部から動作制御不可能な１以上の外部機器と前記デジタル放送受信機とを接続する１以上の第２接続端子と、
前記操作部からの第１の指示に応じて、前記デジタル放送受信機に接続された前記デジタル機器を含む全ての外部機器の一覧を提示する手段と、
前記操作部からの第２の指示に応じて、前記一覧に示される外部機器の１つを順番に選択する手段と、
前記操作部からの決定指示に応じて、前記選択手段により選択されている外部機器を再生対象の外部機器として決定する手段と、
前記決定手段により、前記再生対象の外部機器として、前記第１接続端子に接続された外部機器が決定された場合に、該外部機器に格納された映像コンテンツの再生を制御し、前記第２接続端子に接続された外部機器が選択された場合に、該外部機器から入力される映像信号を再生し、前記受信部が選択された場合に該受信部から入力される映像信号を再生する再生制御手段と、
を具備することを特徴とするデジタル放送受信機。
【請求項６】
複数の外部機器と接続されるデジタル放送受信機における前記外部機器からの入力を切り替える方法であって、
操作部から動作制御可能な１以上の外部機器と、前記操作部から動作制御不可能な１以上の外部機器と、放送受信部のうち１つを順番に選択するステップと、
前記選択ステップにより、前記操作部から動作制御可能な外部機器が選択された場合に、該外部機器に格納された映像コンテンツの再生を制御し、前記操作部から動作制御不可能な外部機器が選択された場合に、該外部機器から入力される映像信号を再生し、前記放送受信部が選択された場合に、該受信部から入力される映像信号を再生するステップと、
を具備することを特徴とする入力切替方法。
【発明の詳細な説明】
【技術分野】
【０００１】
本発明は従来のアナログ映像信号を出力する外部機器に加え、デジタル映像信号を出力する外部機器を接続可能なデジタル放送受信機に関する。
【背景技術】
【０００２】
近年になって、デジタル放送受信機は従来の外部入力端子からのアナログ信号受信に加え、ＨＤＭＩ端子からのデジタルフォーマット信号受信や、ＩＥＥＥ１３９４方式リンクまたはＬＡＮを経由して接続される機器からのトランスポートストリームの受信が可能となっている。つまり、最近のデジタル放送受信機は、従来のアナログ機器に加え、ＩＥＥＥ１３９４機器、ＬＡＮＨＤＤ機器、ＤＬＮＡ対応機器等の様々な機器と接続が可能で、デジタル放送以外のデジタルコンテンツ視聴が可能となっている。
【０００３】
ＨＤＭＩ(High-Definition Multimedia Interface)は、主に家電やＡＶ機器向けのデジタル映像・音声入出力インターフェース規格である。パソコンとディスプレイの接続に使われるデジタルインターフェースをベースに、さらに発展させた規格である。ＩＥＥＥ１３９４はパソコンと周辺デジタル映像機器とを結ぶ転送方式の1つである。
【０００４】
ＤＬＮＡ(Digital Living Network Alliance)は、家庭内ＬＡＮ(ホームネットワーク)を用いてＡＶ機器やパソコン、情報家電を相互に接続し、連携して利用するための技術仕様を策定する業界団体または同仕様自体を示す。ＬＡＮＨＤＤ(Local Area Network HDD)も家庭内ＬＡＮを用いてＨＤＤ内蔵のＡＶ機器、ＰＣを相互に接続し、連携して利用するための技術仕様を示す。
【０００５】
下記特許文献１には、第１及び第２のＬＡＮ端子、ＵＳＢ端子、ＩＥＥＥ１３９４端子を備え、これら端子に接続された機器の一覧を画面に表示させ、この一覧画面から所望のデジタル機器を選択し、選択した機器に格納されている映像コンテンツを再生する放送受信装置が開示されている。
【特許文献１】特開２００６−７４６１４号公報
【発明の開示】
【発明が解決しようとする課題】
【０００６】
ＩＥＥＥ１３９４機器、ＬＡＮＨＤＤ機器、ＤＬＮＡ対応機器等は、デジタル放送受信機からのコントロールが可能であるということが特徴となっている。しかし、それら機器に対するデジタル放送受信機からのコントロールは、操作及び機能が複雑化している。
【０００７】
更に、従来のアナログ外部入力機器への切換と、デジタル放送受信機から制御可能なＩＥＥＥ１３９４機器、ＬＡＮＨＤＤ機器、ＤＬＮＡ対応機器等のデジタル機器への切換は、別々の操作ボタンを用いて行わなければならず、ユーザが直感的に操作することが難しいという問題がある。
【０００８】
従って本発明は、従来の外部入力機器への切り替えと、デジタル放送受信機から制御可能な機器への切り替えを統合し、直感的で容易な切り替え操作及び制御操作を提供することを目的とする。
【課題を解決するための手段】
【０００９】
本発明の一実施形態に係るデジタル放送受信機は、通信プロトコルに基づいて情報通信可能なデジタル機器を含む複数の外部機器を接続可能なデジタル放送受信機であって、デジタル放送を受信する受信部と、前記デジタル放送受信機にユーザからの指示を入力するための操作部と、前記操作部から動作制御可能な１以上の前記デジタル機器と前記デジタル放送受信機とを接続する１以上の第１接続端子と、前記操作部から動作制御不可能な１以上の外部機器と前記デジタル放送受信機とを接続する１以上の第２接続端子と、前記操作部からの切換指示に応じて、前記１以上の第１接続端子に接続されたデジタル機器と、前記１以上の第２接続端子に接続された外部機器と、前記受信部のうち１つを順番に選択する選択手段と、前記選択手段により、前記第１接続端子に接続された外部機器が選択された場合に、該外部機器に格納された映像コンテンツの再生を制御し、前記第２接続端子に接続された外部機器が選択された場合に、該外部機器から入力される映像信号を再生し、前記受信部が選択された場合に、該受信部から入力される映像信号を再生する再生制御手段と、を具備する。
【発明の効果】
【００１０】
従来の外部入力機器への切り替えと、デジタル放送受信機から制御可能なＩＥＥＥ１３９４機器、ＬＡＮＨＤＤ機器、ＤＬＮＡ機器等のデジタル機器への切り替えが統合され、直感的で容易な切り替え操作及び制御操作を提供できる。
【発明を実施するための最良の形態】
【００１１】
以下、図面を参照して本発明の実施形態を説明する。
【００１２】
図１は本発明が適用されるデジタル放送受信機１０の構成を示すブロック図である。
【００１３】
チューナ１３には、アンテナで受信された放送信号がアンテナ入力端子２４を介して受信される。チューナ１３は、受信した放送信号から、特定チャンネルの番組データを抽出する。チューナ１３はＢＳデジタル及び地上波デジタル等のデジタル放送を受信可能なデジタルチューナである。
【００１４】
ＨＤＭＩ Ｉ／Ｆ１６は、ＨＤＭＩ端子２６ａ又は端子２６ｂに接続されたＨＤＭＩ機器とのインターフェースを行う。切り替え部４１は、ＨＤＭＩ端子２６ａ及び２６ｂを介して接続されたＨＤＭＩ機器の１つをＣＰＵ２１の制御の下に選択し、選択されたＨＤＭＩ機器とＨＤＭＩ Ｉ／Ｆ１６を接続する。
【００１５】
ＩＥＥＥ１３９４ Ｉ／Ｆ１７は、ＩＥＥＥ１３９４端子２７を介して接続されたＩＥＥＥ１３９４機器とのインターフェースを行う。ＩＥＥＥ１３９４ Ｉ／Ｆ１７は、端子２７を介して例えばデイジーチェーン方式のリンクで接続された複数のＩＥＥＥ１３９４機器との通信が可能である。
【００１６】
ＬＡＮ ＨＤＤ Ｉ／Ｆ１８は、端子２８を介して接続されたＬＡＮ ＨＤＤ機器とのインターフェースを行う。ＬＡＮ ＨＤＤ Ｉ／Ｆ１８は、端子２８を介して接続されたネットワーク上の複数のＬＡＮ ＨＤＤ機器との通信が可能である。
【００１７】
ＤＬＮＡ Ｉ／Ｆ１９は、ＤＬＮＡ端子２９を介して接続されたＤＬＮＡ機器とのインターフェースを行う。ＤＬＮＡ Ｉ／Ｆ１９は、ＤＬＮＡ端子２９を介して接続されたネットワーク上の複数のＤＬＮＡ機器との通信が可能である。
【００１８】
このように、ＩＥＥＥ１３９４機器、ＬＡＮ ＨＤＤ機器、ＤＬＮＡ機器等のデジタル機器は、それぞれ独自の通信プロトコルに基づいて情報通信が可能である。この情報通信機能を利用して、後述するようにデジタル放送受信機側から操作部２２を介して、これらデジタル機器の動作制御が可能である。
【００１９】
デコーダ１２は、チューナ１３、各種インターフェース１６〜１９又はＨＤＤ１１から提供される圧縮されたデータをデコード（伸長）する。
【００２０】
信号処理部１５は、デコーダ１２によってデコードされた映像及び音声データを例えばＤ／Ａ変換及び増幅し、映像信号及び音声信号を再生する。モニタ部２３は、端子３０を介して信号処理部１５から提供される映像信号を元に映像を表示し、音声信号を元に音声を出力する。モニタ部２３はデジタル放送受信機に含まれるように構成してもよいし、あるいはデジタル放送受信機にケーブルを介して外部接続されてもよい。
【００２１】
切り替え部４０は、外部入力端子２５ａ…２５ｎを介して接続された外部入力機器の１つをＣＰＵ２１の制御の下に選択し、選択された外部入力機器からのアナログ信号を信号処理部１５に供給する。信号処理部１５は、入力される外部入力機器からのアナログ信号に対して増幅及びフィルタリング等の信号処理を施し、処理された信号をモニタ部２３に提供する。外部入力機器からのアナログ信号を記録する場合、該アナログ信号は例えば信号処理部１５にてＡ／Ｄ変換され、エンコーダ１４によりエンコード（圧縮）された後、ＨＤＤ１１に記録される。又、ＨＤＤ１１は、各種インターフェース１６〜１９から提供されるエンコードされた映像及び音声データを記録する。
【００２２】
ここで外部入力機器とは、アナログの映像及び音声信号を出力する映像機器を示す。外部入力端子２５ａ〜２５ｎは、通常のアナログ映像端子の他に、Ｓ端子、Ｄ端子等を含む。Ｓ端子は、ビデオ信号が輝度信号（Ｙ）と色差信号（Ｃ）とに分離したコンポジット信号を入力する端子である。Ｄ端子は、色差信号を更に青の色差（Ｐｂ又はＣｂ）と赤の色差（Ｐｒ又はＣｒ）に分離したＹ／Ｐｂ／Ｐｒのコンポーネント信号と、走査線数、走査方式、アスペクト比を指定する識別信号を１本のコネクタにまとめた端子である。走査線数、走査方式によって、Ｄ１〜Ｄ４までの種類がある。
【００２３】
操作部２２はユーザインターフェースであり、ユーザから各種入力操作を受けつけるための様々なボタン、及びリモコン３２から送信され信号を受信する受信部２２ａを有している。ユーザは操作部２２又はリモコン３２を用いて、デジタル放送受信機１０を操作できる。
【００２４】
メモリ２０は各種制御プログラムを格納するＲＯＭ及びＣＰＵ２１の作業エリアとして使用されるＲＡＭを含む。ＣＰＵ１５は、操作部２２を介してユーザから入力された指示に従って、メモリ２０に記録されている制御プログラムを実行する。
【００２５】
次に、本発明に係る入力切替処理について説明する。
【００２６】
図２はユーザの外部機器入力の切替操作によるモニタ部２３の画面遷移を示す図であり、図３はリモコン３２上に設けられた各種ボタンの配置を示す図である。
【００２７】
ここでモニタ部２３には、チューナ１３で受信した映像２３ａが表示されているとする。ユーザがリモコン３２の入力切換ボタン３２ａの＋側を押すと、接続が外部入力機器に切り換わる。つまり、ＣＰＵ２１は外部入力端子２５ａに接続された外部入力機器からの信号を切り替え部４０にて選択し、選択した信号を信号処理部１５にて処理し、モニタ部２３に画面２３ｂを表示する。画面２３ｂでは、画面右上部に切り換え先の入力名称が表示される。外部入力端子がＤ端子の場合にはＤ１〜Ｄ４までの入力種別も表示される。入力切換ボタン３２ａが図３のようにシーソータイプの場合には、先方向（＋）ボタンで次の外部入力機器（端子２５ｂに接続された機器）の画面２３ｃへ、戻方向（−）ボタンで切換前の機器（チューナ１３）の画面２３ａへ遷移する。入力切換ボタン３２ａがワンボタンタイプの場合には順方向のみへ遷移していく。画面及び接続端子の遷移は外部入力機器（端子２５ａ〜２５ｎ）、ＨＤＭＩ機器（端子２６ａ、２６ｂ）、ＩＥＥＥ１３９４機器（端子２７）、ＬＡＮＨＤＤ機器（端子２８）、ＤＬＮＡ機器（端子２９）、チューナ１３の順に遷移する。例えばＩＥＥＥ１３９４機器が切替ボタン３２ａの操作により選択されると、ＣＰＵ２１はＩＥＥＥ１３９４ Ｉ／Ｆ１８を動作させ、ＩＥＥＥ１３９４機器と通信を行う。
【００２８】
図４はＩＥＥＥ１３９４機器（ＩＥＥＥ１３９４ Ｉ／Ｆ１８）が選択されたときの機器選択及び操作画面の遷移図を示す。
【００２９】
ＩＥＥＥ１３９４機器が複数接続されている場合、まず図４（Ａ）のようにＣＰＵ２１は機器を選択するためのＩＥＥＥ１３９４機器一覧を表示する。この一覧には各ＩＥＥＥ１３９４機器について、機器識別情報、メーカー名、機器名称、電源ステータス、接続ステータスが表示される。このときユーザは、色分けされたカーソル４１により示される機器の電源ＯＮ／ＯＦＦが可能である。カーソル４１をカーソル上下ボタン３２ｃ、３２ｄで移動させ、決定ボタン３２ｅを押すことでＩＥＥＥ１３９４機器が特定される。特定された機器がディスクデバイスか、テープデバイスかにより提示する画面が異なる。
【００３０】
ディスクデバイスの場合、ＣＰＵ２１は図４（Ｂ）のように録画リストつまり録画された映像コンテンツのリストを提示する。録画リストは選択機器名称４２、デバイス容量の残量４３、録画した番組のチャンネル識別情報と番組名称と番組の放送日時等の一覧表示４４と、色分けされたカーソル４５により選択されている番組の再生映像を表示するプレビュー画面４６と、プレビュー中番組の録画時間４７及び再生位置表示バー４８で構成される。上下ボタン３２ｃ、３２ｄで番組を選択し、決定ボタン３２ｅが押されると、カーソル４５で示される番組の再生が開始する。
【００３１】
図４（Ｂ）の録画リスト表示中に、戻るボタン３２ｂが押されると図４（Ａ）のＩＥＥＥ１３９４機器一覧表示画面へ戻る。また、図４（Ｂ）の録画リスト表示中に、入力切換ボタン３２ａが押された場合には、図２に示した画面における次の遷移先へ遷移する。つまり、入力切換ボタン３２ａ（−）が押されると、画面２３ｅが表示され、入力切換ボタン３２ａ（＋）が押されると、画面２３ｇに移行する。
【００３２】
図４（Ｃ）の機器選択画面のようにテープデバイスが選択されると、ＣＰＵ２１は図４（Ｄ）のように当該機器の再生画面を提示する。画面には選択機器名称が右上部に表示され、選択機器からの映像と共に、再生ボタン５０、停止ボタン５１等のＧＵＩ(graphic user interface)が表示される。このＧＵＩを利用してユーザは、選択機器の再生、停止等を制御できる。図４（Ｄ）のような再生画面表示中に、戻るボタン３２ｂが押されると、図４（Ｃ）の機器一覧表示画面へ戻る。また、図４（Ｄ）の再生画面で入力切換ボタン３２ａが押された場合には、前述したように図２に示した次遷移先へ遷移する。
【００３３】
ＩＥＥＥ１３９４端子２７を介して接続されている機器が単一の場合は、入力切換ボタン３２ａを用いてＩＥＥＥ１３９４機器（図２のＩＥＥＥ１３９４遷移画面２３ｆ）が選択されると、ＣＰＵ２１は図４（Ａ）あるいは図４（Ｃ）の機器選択一覧表示をスキップし、接続機器のデバイスタイプに従い、図４（Ｂ）の録画リストまたは図４（Ｄ）の再生画面を表示する。
【００３４】
図５は入力切換ボタン３２ａを用いて、ＬＡＮＨＤＤに遷移したときの機器選択及び操作画面の遷移を示す図である。
【００３５】
ＬＡＮＨＤＤ端子２８に接続されたＬＡＮを介してＬＡＮＨＤＤ機器が複数接続されている場合に、入力切換ボタン３２ａを用いてＬＡＮＨＤＤ機器（図２のＬＡＮＨＤＤ画面２３ｇ）を選択すると、ＣＰＵ２１は図５（Ａ）のようにＬＡＮＨＤＤ機器を選択するためのＬＡＮＨＤＤ機器一覧を表示する。この一覧には各機器の機器識別（ＬＡＮ１等）、デバイス名（ｕｓｅｒ１等）、接続ステータスが表示され、色分けされたカーソル５８をカーソル上下ボタン３２ｃ、３２ｄで移動させ、決定ボタン３２ｅを押すことでＬＡＮＨＤＤ機器が選択される。
【００３６】
選択後は、図５（Ｂ）のように録画リストが提示される。録画リストは選択機器名称５２、デバイス容量の残量５２、録画した番組のチャンネル識別情報と番組名称と番組の放送日時等の一覧表示５３と、色分けされたカーソル５４の番組の再生映像を表示するプレビュー画面５５と、プレビュー中番組の録画時間５６、及び再生位置表示バー５７で構成される。
【００３７】
図５（Ｂ）の録画リスト表示中に、戻るボタン３２ｂが押されると図５（Ａ）のＬＡＮＨＤＤ機器一覧表示画面へ戻る。また、図５（Ｂ）の録画リスト表示中に、入力切換ボタン３２ａが押された場合には、図２に示した画面における次の遷移先へ遷移する。
【００３８】
ＬＡＮＨＤＤ端子２８を介して接続されている機器が単一の場合は、入力切換ボタン３２ａを用いてＬＡＮＨＤＤ機器（図２のＬＡＮＨＤＤ画面２３ｇ）が選択されると、ＣＰＵ２１は図５（Ａ）のような機器選択一覧表示をスキップし、図５（Ｂ）のような録画リストを表示する。
【００３９】
図６は入力切換ボタン３２ａを用いて、ＤＬＮＡ機器に遷移したときの機器選択及び操作画面の遷移を示す図である。
【００４０】
ＤＬＮＡ端子２９に接続されたＬＡＮを介してＤＬＮＡ機器が複数接続されている場合に、入力切換ボタン３２ａを用いてＤＬＮＡ機器（図２のＤＬＮＡ画面２３ｈ）を選択すると、ＣＰＵ２１は図６（Ａ）のようにＤＬＮＡ機器を選択するためのＤＬＮＡ機器一覧を表示する。この一覧には各機器の機器識別（ＤＬＮＡ１等）、メーカー名（ＴＯＳＨＩＢＡ等）、機器名称（ＲＤ−Ｘ６等）、電源ステータス、接続ステータスが表示され、色分けされたカーソル４１をカーソル上下ボタン３２ｃ、３２ｄで移動させ、決定ボタン３２ｅを押すことでＤＬＮＡ機器が選択される。
【００４１】
選択後は、図６（Ｂ）のようにコンテンツリストが提示される。コンテンツリストは選択機器名称６１、デバイス容量の残量６２、録画した番組のチャンネル識別情報と番組名称と番組の放送日時等の一覧表示６３と、色分けされたカーソル６４の番組の再生映像を表示するプレビュー画面６５と、プレビュー中番組の録画時間６６及び再生位置表示バー６７で構成される。
【００４２】
図６（Ｂ）のコンテンツリスト表示中に、戻るボタン３２ｂが押されると図６（Ａ）のＤＬＮＡ機器一覧表示画面へ戻る。また、図６（Ｂ）のコンテンツリスト表示中に、入力切換ボタン３２ａが押された場合には、図２に示した画面における次の遷移先へ遷移する。
【００４３】
ＤＬＮＡ端子２９を介して接続されている機器が単一の場合は、入力切換ボタン３２ａを用いてＤＬＮＡ機器（図２のＤＬＮＡＨＤＤ画面２３ｈ）が選択されると、ＣＰＵ２１は図６（Ａ）のようなＤＬＮＡ機器選択一覧表示をスキップし、図６（Ｂ）のようなコンテンツリストを表示する。
【００４４】
次に、本発明に係る入力切替処理の第２実施形態について説明する。この第２実施形態では、デジタル放送受信機１０に接続された全ての外部機器の一覧から１つの外部機器が選択される。
【００４５】
先ず、図３に示すリモコン３２の外部機器選択ボタン３２ｆをユーザが押すと、ＣＰＵ２１は図７のような機器選択画面７０をモニタ部２３に表示する。カーソル７１をカーソル上下ボタン３２ｃ、３２ｄで移動させ、決定ボタン３２ｅを押すことで、カーソル７１により示される外部機器が選択される。例えば図７のように、カーソル７１によりＩＥＥＥ１３９４機器が示されている状態で、決定ボタン３２ｅが押されると、前述した図４（Ａ）のＩＥＥＥ１３９４機器一覧が表示される。
【００４６】
図４（Ａ）又は図４（Ｂ）において、カーソル上下ボタン３２ｃ、３２ｄによりカーソル４１が上下し、決定ボタン３２ｅによりＩＥＥＥ１３９４機器の１つが選択され、画面が図４（Ｂ）の録画リスト又は図４（Ｄ）のような再生画面が表示される動作は、前述した実施形態と同様である。第２実施形態の場合、例えば図４に示す何れかの画面が表示されている際に、外部機器選択ボタン３２ｆが押されると、図７の機器一覧表示に表示画面が戻る。
【００４７】
このように第２実施形態では、機器一覧７０を用いて外部機器を選択できる。つまり、機器一覧７０を表示している状態で、カーソル上下ボタン３２ｃ又は３２ｄを何回押せば、目的の外部機器を選択できるかを、ユーザは直感的に把握できるので、外部機器選択が容易となる。
【００４８】
以上の説明はこの発明の実施の形態であって、この発明の装置及び方法を限定するものではなく、様々な変形例を容易に実施することができる。
【図面の簡単な説明】
【００４９】
【図１】本発明が適用されるデジタル放送受信機１０の構成を示すブロック図である。
【図２】ユーザの外部機器切替操作によるモニタ部２３の画面遷移を示す図である。
【図３】リモコン３２上に設けられた各種ボタンの配置を示す図である。
【図４】入力切換ボタン３２ａを用いて、ＩＥＥＥ１３９４機器が選択されたときの機器選択及び操作画面の遷移図を示す。
【図５】入力切換ボタン３２ａを用いて、ＬＡＮＨＤＤに遷移したときの機器選択及び操作画面の遷移を示す図である。
【図６】入力切換ボタン３２ａを用いて、ＤＬＮＡ機器に遷移したときの機器選択及び操作画面の遷移を示す図である。
【図７】本発明の第２実施形態に係る機器選択画面７０を示す図である。
【符号の説明】
【００５０】
１０…ハードディスクドライブ、１２…デコーダ、１３…チューナ、１４…エンコーダ、１５…信号処理部、１６…ＨＤＭＩインターフェース、１７…ＩＥＥＥ１３９４インターフェース、１８…ＬＡＮ ＨＤＤインターフェース、１９…ＤＬＮＡインターフェース、２０…メモリ、２１…ＣＰＵ、２２…操作部、３２…リモコン、４０、４１…切替部。
【図１】
2008016877.tif 000003
【図２】
2008016877.tif 000004
【図３】
2008016877.tif 000005
【図４】
2008016877.tif 000006
【図５】
2008016877.tif 000007
【図６】
2008016877.tif 000008
【図７】
2008016877.tif 000009